(57)【特許請求の範囲】
【請求項１】
左右一対の側壁部間に奥壁部と上壁部を連続して形成した陥凹形状で、インストルメントパネルにおけるブロワユニットの後側位置に組付けられると共に、開閉自在なグローブボックスが装着され、且つ上壁部にグローブボックスの開時に露出する段差状の縦壁部が形成され、該縦壁部にポケット開口が形成されているグローブボックスカバーであって、
前記奥壁部の上端部にブロワユニットのフィルタを出し入れ可能なフィルタ開口を形成し、
該上壁部の後端にフィルタ開口よりも小さいサイズの底面部をヒンジ部を介して形成すると共に、該底面部と断面コ字状の本体部とで一体的にポケット体を形成し、該ポケット体をヒンジ部中心に回動させて上壁部に重ね合わせることにより、ポケット開口から小物を出し入れ自在なポケット部が区画形成されることを特徴とするグローブボックスカバー。
【請求項２】
請求項１記載のグローブボックスカバーであって、
ポケット体に爪部を形成し、上壁部に該爪部と係合する切欠を形成したことを特徴とするグローブボックスカバー。
【請求項３】
請求項１又は請求項２記載のグローブボックスカバーであって、
ヒンジ部が切断容易な薄肉構造であることを特徴とするグローブボックスカバー。
【請求項４】
請求項１〜３のいずれか１項に記載のグローブボックスカバー成形用の金型装置であって、
グローブボックスカバーに相応する形状のキャビティ空間を形成可能な一対の金型を備え、
グローブボックスカバーの裏側に対応する一方の金型に、型抜き方向におけるフィルタ開口の範囲内で、他方の金型との間でポケット体の底面部を形成可能で且つ一方の金型との間で本体部を形成可能なスライド型を、設けたことを特徴とするグローブボックスカバー成形用の金型装置。
【発明の詳細な説明】
【０００１】
【発明の属する技術分野】
この発明は、グローブボックスカバー及びグローブボックスカバー成形用の金型装置に関するものである。
【０００２】
【従来の技術】
自動車のインストルメントパネルには、助手席側部分にグローブボックスが装着され、その中に小物を収納できるようになっている（類似技術として、特開平５−３０５８４０号公報参照）。インストルメントパネルにおけるグローブボックスを装着する部分には、陥凹形状をしたグローブボックスカバーが組付けられ、そのグローブボックスカバーに対して開閉自在なグローブボックスが装着されている。
【０００３】
また、グローブボックスカバーの上壁部には、グローブボックスの開時に露出する段差状の縦面部が形成され、そこにポケット開口が形成されている。そのポケット開口の裏側には、容器形状のポケット体が組付けられ、ポケット開口からそのポケット体の内部にカード等の小物を出し入れできるようになっている。
【０００４】
尚、グローブボックスカバーは、インストルメントパネルの内部において、空調ユニットの一部を構成するブロワユニットの後側に位置しており、メンテナンスのために、このブロワユニットのフィルタを後側に引き出す場合には、グローブボックスとグローブボックスカバーの両方をいったんインストルメントパネルから取り外す必要がある。
【０００５】
【発明が解決しようとする課題】
しかしながら、このような従来の技術にあっては、グローブボックスカバーの縦面部に形成されたポケット開口の裏側に、別物としてのポケット体を組付ける必要があるため、その分、部品点数及び組立作業工数の増加を招いている。
【０００６】
また、ブロワユニットからフィルタを引き出す際に、わざわざグローブボックスカバーをインストルメントパネルから取り外す必要があるため、フィルタの取外し作業が面倒である。
【０００７】
この発明は、このような従来の技術に着目してなされたものであり、部品点数の低減を図ることができ、フィルタの取外し作業の容易化を図ることができるグローブボックスカバー及びグローブボックスカバー成形用の金型装置を提供するものである。
【０００８】
【課題を解決するための手段】
請求項１記載の発明は、左右一対の側壁部間に奥壁部と上壁部を連続して形成した陥凹形状で、インストルメントパネルにおけるブロワユニットの後側位置に組付けられると共に、開閉自在なグローブボックスが装着され、且つ上壁部にグローブボックスの開時に露出する段差状の縦壁部が形成され、該縦壁部にポケット開口が形成されているグローブボックスカバーであって、前記奥壁部の上端部にブロワユニットのフィルタを出し入れ可能なフィルタ開口を形成し、該上壁部の後端にフィルタ開口よりも小さいサイズの底面部をヒンジ部を介して形成すると共に、該底面部と断面コ字状の本体部とで一体的にポケット体を形成し、該ポケット体をヒンジ部中心に回動させて上壁部に重ね合わせることにより、ポケット開口から小物を出し入れ自在なポケット部が区画形成される。
【０００９】
請求項１記載の発明によれば、グローブボックスカバーの上壁部にヒンジ部を介してポケット体を一体的形成したため、部品点数の低減を図ることができる。また、グローブボックスカバーの奥壁部にフィルタ開口が形成されているため、グローブボックスカバー自体は取り外さずに、このフィルタ開口を利用してフィルタを交換することができる。尚、ポケット体の底面部は、フィルタ開口よりも小さいサイズのため、このフィルタ開口を、一対の金型でポケット体を一体成形する際の型締めポイントして利用することができる。
【００１０】
請求項２記載の発明は、ポケット体に爪部を形成し、上壁部に該爪部と係合する切欠を形成した。
【００１１】
請求項２記載の発明によれば、ポケット体の爪部を、グローブボックスカバーの上壁部に形成した切欠に係合させることにより、ポケット体の状態を安定させることができる。
【００１２】
請求項３記載の発明は、ヒンジ部が切断容易な薄肉構造である。
【００１３】
請求項３記載の発明によれば、ヒンジ部が切断容易な薄肉構造であるため、ヒンジ部を切断して、ポケット体をグローブボックスカバーから取外すことにより、グローブボックスカバーの上壁部に、ポケット体よりも大きいオーディオ機器等を設置することができる。そして、オーディオ機器等の操作は、縦面部に形成したポケット開口から行うことができる。
【００１４】
請求項４記載の発明は、グローブボックスカバーに相応する形状のキャビティ空間を形成可能な一対の金型を備え、グローブボックスカバーの裏側に対応する一方の金型に、型抜き方向におけるフィルタ開口の範囲内で、他方の金型との間でポケット体の底面部を形成可能で且つ一方の金型との間で本体部を形成可能なスライド型を、設けたことを特徴とするグローブボックスカバー成形用の金型装置である。
【００１５】
請求項４記載の発明によれば、一方の金型に、型抜き方向におけるフィルタ開口の範囲内で、ポケット体を成形可能なスライド型を設けたため、一回の成形で、グローブボックスカバーとポケット体の両方を同時に形成することができる。
【００１６】
【発明の実施の形態】
以下、この発明の好適な実施形態を図１〜図４に基づいて説明する。インストルメントパネル１の内部における助手席に対応する位置には、空調ユニットの一部を形成するブロワユニット２が設置されている。このブロワユニット２には、フィルタ３が内蔵され、メンテナンスのために、定期的に後側へ引き出して、新しいものと交換するようになっている。
【００１７】
インストルメントパネル１におけるこのブロワユニット２の後側位置には、陥凹形状のグローブボックスカバー４が下側から組付けられている。このグローブボックスカバー４は、左右一対の側壁部５と、その前側に形成された奥壁部６と、その上側から後側にかけて連続形成された上壁部７とから構成されている。奥壁部６の下方には、ブロワユニット２の調整のための作業孔６ａが形成されている。
【００１８】
そして、このグローブボックスカバー４に対して、前側へ開閉自在なグローブボックス８が装着されている。このグローブボックス８の下端部には、図示せぬ回動軸が形成され、その回動軸がグローブボックスカバー４の左右の側壁部５に軸支されている。尚、グローブボックス８の奥壁部８ａは別物を組付けたもので、グローブボックス８と一体的に前側へ回動する。
【００１９】
上壁部７の後側寄り位置には段差状の縦面部９が形成されている。この縦面部９は、グローブボックス８を前側へ開いた際に、後向き状態で露出するもので、この縦面部９には横長のポケット開口１０が形成されている。
【００２０】
奥壁部６の上端には、フィルタ開口１１が形成されている。このフィルタ開口１１は、ブロワユニット２のフィルタ３を引き出し可能なサイズを有している。このフィルタ開口１１の上側に位置する上壁部７の後端には、ポケット体１２が薄肉状のヒンジ部１３を介して一体形成されている。このポケット体１２は、フィルタ開口１１より小さいサイズの底面部１４と、断面コ字状の本体部１５とから形成されている。従って、このポケット体１２の幅は、フィルタ開口１１よりも小さく、また長さは上壁部７の後端から縦面部９に至る寸法に略合致している。ポケット体１２の端部の左右両側には、爪部１６が形成され、上壁部７には、それに対応する切欠１７が形成されている。
【００２１】
従って、このポケット体１２をヒンジ部１３を中心に前側へ回動させ、上壁部７の上側に重ねて、爪部１６を切欠１７に係合させることにより、ポケット体１２と縦面部９とで区画されたポケット部Ｐを形成することができる。爪部１６と切欠１７との係合により、ポケット体１２は安定した状態になり、車両走行時の振動等が加わっても、ポケット体１２の状態が変化することはない。このポケット体１２により区画形成されたポケット部Ｐ内へは、グローブボックス８を開いた際に露出するポケット開口１０からカード等の小物を出し入れすることができる。
【００２２】
また、ブロワユニット２のフィルタ３を交換する場合は、グローブボックス８だけを取外して、グローブボックスカバー４の奥壁部６に形成されたフィルタ開口１１からフィルタ３を後側へ引き出して、新しいものと交換することができる。従来のように、グローブボックスカバー４自体を取外す必要がないため、フィルタ３の交換作業が容易である。
【００２３】
そして、この実施形態のグローブボックスカバー４は、前述のように、ポケット体１２が一体形成されているため、従来のように別物のポケット体を後から組付ける場合に比べて、部品点数及び作業工数の低減を図ることができる。
【００２４】
また、この実施形態のグローブボックスカバー４は、図２に示すように、ポケット体１２をヒンジ部１３から切断して取り外すことにより、グローブボックスカバー４の上壁部７にオーディオ機器１８を設置することもできる。ポケット体１２を取り除くことにより、オーディオ機器１８のハーネス１９を自由に配索することができる。そして、このオーディオ機器１８の操作は、縦面部９に形成したポケット開口１０から行うことができる。
【００２５】
次に、この実施形態に係るグローブボックスカバー４の製造方法を図４に基づいて説明する。このグローブボックスカバー４は、一対の金型２０、２１間に形成されるキャビティー空間内に樹脂材料（ＰＰ）を射出することにより行われる。
【００２６】
一対の金型２０、２１は、互いに離反する型抜き方向Ａに沿って移動自在で、一方の金型２０には、型抜き方向Ａに沿った合わせ面２２ａを持つスライド型２２が型抜き方向Ａとは交差するスライド方向Ｂに沿って移動自在に設けられている。このスライド型２２のスライド方向Ｂへの移動は、一方の金型２０を型抜き方向Ａへ移動させる際に治具２３にガイドされて行われる。
【００２７】
ポケット体１２は、グローブボックスカバー４に対して型抜き方向Ａに沿った角度になっており、ポケット体１２全体が型抜き方向Ａにおけるフィルタ開口１１の範囲Ｈ内に位置している。そして、スライド型２２と他方の金型２１との間でポケット体１２の底面部１４が成形され、スライド型２２と一方の金型２０との間でポケット体１２の本体部１５が成形されるようになっている。このように、フィルタ３の交換のために形成したフィルタ開口１１を利用して、そのフィルタ開口１１内に進入するスライド型２２を用いることにより、一回の成形で、グローブボックスカバー４とポケット体１２の両方を同時に形成することができるため、グローブボックスカバー４の製造効率が良い。
【図面の簡単な説明】
【図１】ポケット部を形成したインストルメントパネルの断面図。
【図２】ポケット体を切除してオーディオ機器を設置したインストルメントパネルの断面図。
【図３】グローブボックスカバーの斜視図。
【図４】金型によるグローブボックスカバーの製造を示す断面図。
【符号の説明】
１  インストルメントパネル
２  ブロワユニット
３  フィルタ
４  グローブボックスカバー
５  側壁部
６  奥壁部
７  上壁部
８  グローブボックス
９  縦面部
１０  ポケット開口
１１  フィルタ開口
１２  ポケット体
１３  ヒンジ部
１４  底面部
１５  本体部
１６  爪部
１７  切欠
１８  オーディオ機器
１９  ハーネス
２０、２１  金型
２２  スライド型
Ａ  型抜き方向
Ｂ  スライド方向
Ｈ  型抜き方向におけるフィルタ開口の範囲
Ｐ  ポケット部
【図１】
0003671863.tif 000002
【図２】
0003671863.tif 000003
【図３】
0003671863.tif 000004
【図４】
0003671863.tif 000005